(57)【要約】【課題】プリンタの保守性を高めること。【解決手段】本発明に係るプリンタは、媒体に印字する印字ヘッドと、プラテンローラとを有するプリンタであって、前記媒体を搬送するプラテンローラを有する本体部と、少なくとも前記印字ヘッドと前記インクリボンの供給軸と巻取軸のそれぞれの一方の端部を片持ち支持する印字ユニットと、を有し、前記印字ユニットが前記本体部に対して開放された開放位置と前記本体部に対して閉鎖された閉鎖位置とに回動可能に設けられている。【選択図】  図１
2018153993.tif 000002
【特許請求の範囲】
【請求項１】
媒体に印字する印字ヘッドと、前記印字ヘッドに対向して配置されており前記印字ヘッドとの間で前記媒体とインクリボンとを挟持した状態で搬送するプラテンローラとを有するプリンタであって、
前記媒体を搬送するプラテンローラを有する本体部と、
少なくとも前記印字ヘッドと前記インクリボンの供給軸と巻取軸のそれぞれの一方の端部を片持ち支持する印字ユニットと、
を有し、
前記印字ユニットが前記本体部に対して開放された開放位置と前記本体部に対して閉鎖された閉鎖位置とに回動可能に設けられたプリンタ。
【請求項２】
請求項１に記載のプリンタであって、
前記印字ユニットは、
前記媒体の搬送方向における一方の端部において、前記本体部に対して回動可能に設けられたプリンタ。
【請求項３】
請求項１又は２に記載のプリンタであって、
前記印字ユニットが前記閉鎖位置にある状態で前記本体部内に収容され、前記印字ユニットが前記開放位置に向けて回動する際に前記印字ユニットの回動とともに移動し、前記印字ユニットが前記開放位置にあるときに前記印字ユニットと前記本体部との間に位置して、前記プリンタの内部構造を覆うカバーを備えるプリンタ。
【請求項４】
請求項３に記載のプリンタであって、
前記印字ユニットは、少なくとも前記印字ヘッドと前記インクリボンの供給軸と巻取軸のそれぞれの一方の端部を片持ち支持する支持部を有し、
前記カバーは、前記印字ユニットが前記開放位置にある状態において前記支持部の下方に位置する前記内部構造を覆う
プリンタ。
【請求項５】
請求項３又は４に記載のプリンタであって、
前記内部構造は駆動伝達機構であるプリンタ。
【発明の詳細な説明】
【技術分野】
【０００１】
本発明は、印字媒体に印字するプリンタに関する。
【背景技術】
【０００２】
インクリボンを用いて印字媒体に印字する熱転写プリンタでは、インクリボンの交換作業は避けられない。このため、熱転写プリンタのなかには、印字動作を実行可能とし、インクリボンの交換等の保守作業も行い易くすることを考慮して印字ヘッドが構成されたものがある（特許文献１参照）。
【０００３】
特許文献１のプリンタでは、印字ヘッドを備えるヘッドブロックは、本体ハウジングに片持ち支持されており、印字ヘッドがプラテンと当接して印字可能となる動作位置と、印字ヘッドがプラテンから離反して用紙経路を開放する開放位置との間で回動自在とされている。具体的には、ヘッドブロックは、本体ハウジング側の固定端部を回動軸として、開放端部を用紙搬送面に交差する方向に揺動するように取り付けられている。
【０００４】
また、特許文献１に記載のプリンタでは、インクリボンの供給軸及び巻取軸は、ヘッドブロックの上方であって、ヘッドブロックと同じ側の端部において、本体ハウジングに片持ち支持されている。
【先行技術文献】
【特許文献】
【０００５】
【特許文献１】特開２００３−２５１８７３号公報
【発明の概要】
【発明が解決しようとする課題】
【０００６】
特許文献１に記載のプリンタでは、ヘッドブロックの開放端部の開放位置は、ヘッドブロック上方に配置されたインクリボンの供給軸、巻取軸、各軸に装着されているインクリボン等に制限されていた。このため、印字媒体のジャム処理作業等の各種作業のための作業スペースが十分に確保できない場合があった。
【０００７】
そこで、本発明は、プリンタの保守性を高めることを目的とする。
【課題を解決するための手段】
【０００８】
本発明のある態様によれば、媒体に印字する印字ヘッドと、前記印字ヘッドに対向して配置されており前記印字ヘッドとの間で前記媒体とインクリボンとを挟持した状態で搬送するプラテンローラとを有するプリンタであって、前記媒体を搬送するプラテンローラを有する本体部と、少なくとも前記印字ヘッドと前記インクリボンの供給軸と巻取軸のそれぞれの一方の端部を片持ち支持する印字ユニットと、を有し、前記印字ユニットが前記本体部に対して開放された開放位置と前記本体部に対して閉鎖された閉鎖位置とに回動可能に設けられたプリンタが提供される。
【発明の効果】
【０００９】
上記態様によれば、プリンタの保守性を高めることができる。
【図面の簡単な説明】
【００１０】
【図１】図１は、本発明の実施形態に係るプリンタ１の外観の概略を説明する側面図である。
【図２】図２は、本発明の実施形態に係るプリンタ１の正面図である。
【図３】図３は、本発明の実施形態に係るプリンタ１における印字ユニット１０２の開閉動作を説明する側面図である。
【図４】図４は、本発明の実施形態に係るプリンタ１における印字ユニット１０２の開閉動作を説明する図３とは反対側の側面図である。
【図５】図５は、本発明の実施形態に係るプリンタ１における印字ユニット１０２が開放された状態を説明する正面図である。
【図６】図６は、本発明の実施形態に係るプリンタ１のカバーを説明する側面図である。
【図７】図７は、本発明の実施形態に係るプリンタ１のカバーを説明する正面図である。
【図８】図８は、本発明の実施形態に係るプリンタ１の概略構成を説明する概略図である。
【発明を実施するための形態】
【００１１】
［プリンタの印字ユニット及び本体部の説明］
以下、図面を用いて、本発明の実施形態に係るプリンタ１について説明する。図１は、プリンタ１の概略を説明する側面図である。
【００１２】
本発明の実施形態に係るプリンタ１は、印字ヘッド１１とプラテンローラ２２との間で媒体ＰとインクリボンＲｂとを挟持した状態で印字するものである。印字ヘッド１１、プラテンローラ２２等のプリンタ１の構成の詳細は、後述する。
【００１３】
本発明の実施形態に係るプリンタ１は、本体部１０１と、印字ユニット１０２とを備え、印字ユニット１０２が本体部１０１に対して開放された開放位置と本体部１０１に対して閉鎖された閉鎖位置とに回動可能に設けられている。
【００１４】
本体部１０１は、図１には示されていないが、プラテンローラ２２、媒体Ｐを搬送する搬送機構等を備える。図１に示す矢印Ｘは、媒体Ｐの搬送方向を示す。
【００１５】
印字ユニット１０２は、媒体Ｐに印字する印字ヘッド１１と、インクリボンＲｂを収容するリボン収容部４１とを有する。印字ユニット１０２の搬送方向Ｘの上流側端部を後端部１０２ｕと表し、下流側端部を前端部１０２ｄと表す。
【００１６】
リボン収容部４１は、本体部１０１側から離間した印字ヘッドの上方側に位置し、インクリボンＲｂを供給する供給軸４２と、インクリボンＲｂを巻き取る巻取軸４３等を備える。
【００１７】
また、本実施形態における印字ユニット１０２は、支持部１０３を有し、支持部１０３には、少なくとも印字ヘッド１１とインクリボンＲｂの供給軸４２と巻取軸４３とが配置されている。
【００１８】
なお、図１においては、印字ユニット１０２に配置される構成としては、印字ヘッド１１、リボン収容部４１のみが示されており、その他の構成は省略されている。
【００１９】
図２は、本発明の実施形態に係るプリンタ１の正面図である。印字ヘッド１１は、媒体Ｐの搬送方向に直交する幅方向において、支持部１０３に片持ち支持された固定端部１１ａと、開放端部１１ｂとを有する。
【００２０】
供給軸４２は、媒体Ｐの搬送方向に対する幅方向において、支持部１０３に片持ち支持された固定端部４２ａと、開放端部４２ｂとを有する。
【００２１】
巻取軸４３は、媒体Ｐの搬送方向に対する幅方向において、支持部１０３に片持ち支持された固定端部４３ａと、開放端部４３ｂとを有する。
【００２２】
支持部１０３の幅方向の長さは、本体部１０１の幅方向の長さよりも短い。また、支持部１０３は、本体部１０１の幅方向における一方の端部側に寄せて配置されている。すなわち、支持部１０３の幅方向における一方の端部は、本体部１０１の幅方向における一方の端部に一致するように配置されており、開放端部１１ｂ、４２ｂ、４３ｂは、本体部１０１の幅に収まるように設けられている。
【００２３】
図３は、本発明の実施形態に係るプリンタ１における印字ユニット１０２の開閉動作を説明する側面図であり、説明の便宜上、プリンタ１の一部の構成が透過して示されている。図４は、本発明の実施形態に係るプリンタ１における印字ユニット１０２の開閉動作を説明する図３とは反対側の側面図である。図３及び図４における二点鎖線は、印字ユニット１０２が閉止位置にあることを示す。
【００２４】
図５は、本発明の実施形態に係るプリンタ１における印字ユニット１０２が開放された状態を説明する正面図である。
【００２５】
図３に示すように、プリンタ１における印字ユニット１０２は、媒体Ｐの搬送方向Ｘにおける上流側の端部１０２ｕに、ユニット支持部１０２Ｓを備える。ユニット支持部１０２Ｓは、本体部１０１に固定された回動軸１０１Ｄに回動自在に連結されている。これにより、印字ユニット１０２は、本体部１０１に対して回動自在に取り付けられている。
【００２６】
本体部１０１において、支持部１０３の下方には、搬送機構(図示しない)を駆動するための駆動伝達機構６１等が配置されている。駆動伝達機構６１は、本体部１０１に設けられた図示しないモータからの駆動力を巻取軸４３等に伝達している。
【００２７】
駆動伝達機構６１は、支持部１０３側に設けてもよいし、支持部１０３と本体部１０１にそれぞれ設けてもよい。
【００２８】
また、印字ユニット１０２に設けられた印字ヘッド１１は、本体部１０１から離間する方向、すなわち、印字ヘッド１１がプラテンローラ２２から離間する方向に、支持部１０３に設けられた図示しない弾性部によって付勢されており、図３及び図４に示すように、印字ユニット１０２の一部から媒体Ｐに臨んでいる。
【００２９】
本実施形態において、印字ユニット１０２は、その後端部１０２ｕの一部が本体部１０１の所定位置に当接するところまで回動するように構成されている。後端部１０２ｕの一部が本体部１０１の所定位置に当接した位置で停止し、維持される。すなわち、この当接位置が開放位置である。
【００３０】
以上のように、本実施形態に係るプリンタ１によれば、印字ユニット１０２は、前端部１０２ｄを、図３及び図４に示す矢印Ｃ方向に回動させることができる。
【００３１】
印字ユニット１０２が開放位置に移動することで、本体部１０１と印字ユニット１０２との間にスペースＳが形成される。
【００３２】
このとき、図５に示すように、前端部１０２ｄ側から見ると、印字ユニット１０２の下面が本体部１０１から離間する方向に移動し、印字ユニット１０２に設けられた印字ヘッド１１がスペースＳに露呈する。また、支持部１０３下方には、本体部１０１に配置された搬送機構、駆動伝達機構６１等の内部構造がスペースＳに露呈する。このため、印字ヘッド１１の図示しない発熱体が、ユーザが覗き込まなくてもよい位置に露呈することにより、ユーザにとって、清掃作業及び印字ヘッドの交換作業が容易となり、保守性が向上する。
【００３３】
また、プリンタ１によれば、印字ユニット１０２が回動動作する。すなわち、印字ヘッド１１とリボン収容部４１とが一体で、本体部１０１に対して回動する。これにより、本体部１０１と印字ユニット１０２との間にスペースＳが形成される。
【００３４】
本実施形態に係るプリンタ１においては、印字ヘッド１１、リボン収容部４１における供給軸４２及び巻取軸４３は、それぞれ固定端部において支持部１０３に固定されており、回動動作の際、互いの位置関係が変わらない。
【００３５】
このため、本体部１０１と印字ユニット１０２との間にスペースＳを確保するために開放しても、印字ヘッド１１とリボン収容部４１が互いに邪魔になることがない。
【００３６】
また、印字ユニット１０２は、媒体Ｐの搬送方向Ｘの上流側の端部１０２ｕに備えるユニット支持部１０２Ｓにおいて回動軸１０１Ｄに回動自在に連結されているので、印字ユニット１０２は、その前端部１０２ｄが搬送方向Ｘの上流側に旋回することで、印字ヘッド１１周辺を露呈させる。
【００３７】
ユーザが印字ヘッド周辺にアクセスしやすくするために、例えば、印字ユニットを上方に持ち上げる構成にしてスペースを確保することも考えられるが、そのようにした場合には、印字ユニットの上方側に印字ユニットを退避させるための退避スペースを広く確保しなければならない。一方、本実施形態に係るプリンタ１では、その必要がない。
【００３８】
以上のように、本発明の実施形態に係るプリンタ１によれば、設置場所の自由度を狭めることなく、プリンタ１の保守性を高めることができる。
【００３９】
［印字ユニット及び本体部のその他の実施形態］
本発明の別の実施形態に係るプリンタ１では、印字ユニット１０２が本体部１０１における媒体Ｐの搬送面と印字ヘッド１１とを露呈させる開放状態において、駆動伝達機構６１を保護するカバー７１を備える。
【００４０】
図６は、プリンタ１に備えられるカバー７１を説明する側面図であり、図７は、プリンタ１に備えられるカバー７１を説明する正面図である。
【００４１】
カバー７１は、印字ユニット１０２と本体部１０１とが閉じられた状態において、本体部１０１内に収容されており、印字ユニット１０２の回動動作により本体部１０１の搬送面と印字ヘッド１１とを露呈させるように開放される動作に連動して、本体部１０１内から印字ユニット１０２側に現れる。すなわち、本体部１０１と開放位置にある印字ユニット１０２との間に移動する。
【００４２】
これにより、印字ユニット１０２の開放状態において、図６及び図７に示すように、カバー７１によって、本体部１０１と開放位置にある印字ユニット１０２の間に位置する駆動伝達機構６１が覆われ、本体部１０１に設けられた駆動伝達機構６１がプリンタ１の外部に晒されることがない。これにより、駆動伝達機構６１内への埃などの異物混入やオペレータの怪我などを防止することができる。
【００４３】
なお、本体部１０１に凸部を形成するとともに、この凸部に係合する案内溝をカバー７１に形成してもよい。これにより、カバー７１の移動に伴って、カバー７１に形成された凸部が案内溝内を摺動するので、カバー７１が支えとなって、印字ユニット１０２が回動する際のガタつきを抑制できる。なお、本体部１０１に凸部を設け、カバー７１に案内溝を形成してもよい。
【００４４】
また、印字ユニット１０２は、開放位置に達したとき、すなわち、支持部１０３の後端部１０２ｕが本体部１０１に当接することで開放方向の移動が停止して、支持部１０３及び印字ユニット１０２が最大限に開放された開放位置に達したときに、印字ユニット１０２を開放位置で保持する係止部が設けられていてもよい。これにより、印字ユニット１０２の前端部１０２ｄ側が開放位置に保持（ロック）されるため、ユーザは、保守作業を行い易くなる。
【００４５】
［プリンタの構成の説明］
以下、図８を用いて、上述したプリンタ１の具体的な構成について説明する。図８は、本発明の実施形態に係るプリンタ１の構成を説明する概略図である。
【００４６】
プリンタ１は、媒体Ｐに文字、図形等を印字する装置である。プリンタ１における印字方式としては、インクジェット方式、レーザ方式、熱転写方式等が挙げられる。本実施形態において、媒体Ｐは、プリンタ１に適用された印字方式に適合するものである。
【００４７】
本実施形態において、媒体Ｐとしては、ＲＦＩＤ（Ｒａｄｉｏ  Ｆｒｅｑｕｅｎｃｙ  Ｉｄｅｎｔｉｆｉｃａｔｉｏｎ）技術に対応したＩＣチップとアンテナとを有し、無線通信により情報を書込み可能であるとともにその表面に印字可能なＩＣタグ媒体Ｐ１と、ＩＣチップ及びアンテナを備えず印字のみが可能な印字媒体Ｐ２とを用いることができる。
【００４８】
本実施形態において、ＩＣタグ媒体Ｐ１と印字媒体Ｐ２は、いずれも単葉である。以下の説明において、媒体Ｐと記した場合には、ＩＣタグ媒体Ｐ１と印字媒体Ｐ２の両者を含む。媒体Ｐは、長尺状の連続紙や、剥離台紙に複数のラベルが間隔を空けて仮着されたラベル連続体、剥離台紙を有さない長尺状の連続紙の一面に粘着剤が設けられた長尺ラベルであってもよい。
【００４９】
本実施形態に係るプリンタ１は、媒体Ｐの取込を行って、媒体Ｐに印字を行い、印字後の媒体Ｐを排出する。
【００５０】
本実施形態において、取込とは、印字のために媒体Ｐを外部からプリンタ１の内部に搬入することである。また、排出とは、印字が終了した媒体Ｐをプリンタ１の外部に搬出することである。
【００５１】
本実施形態に係るプリンタ１は、基本動作として、プリンタ１の後端部１０Ｒ側（印字ユニット１０２の後端部１０２ｕに相当する）から媒体Ｐを取り込んで印字した後、前端部１０Ｆ（印字ユニット１０２の前端部１０２ｄに相当する）から排出するように構成されている。
【００５２】
本実施形態に係るプリンタ１は、媒体Ｐの取込と排出とを前端部１０Ｆにおいて行うことも可能であって、この場合には、前端部１０Ｆから後述する後端部１０Ｒに向かう方向（図８に示す矢印Ｆ１の方向）に媒体Ｐを搬送し、印字後は、後端部１０Ｒから前端部１０Ｆに向かう方向（図８に示す矢印Ｆ２の方向）に媒体Ｐを搬送するように構成されている。
【００５３】
図８に示す矢印Ｆ２の方向は、図１、図３及び図４に示した搬送方向Ｘに対応する。
【００５４】
本実施形態に係るプリンタ１は、媒体Ｐに文字、記号等を印字する印字ヘッド１１と、ＩＣタグ媒体Ｐ１に所定の情報を書き込むＩＣ書込部１２とを有する。
【００５５】
印字ヘッド１１は、インクリボンＲｂに塗布された印刷用インクを熱転写により媒体Ｐに印字する。また、印字ヘッド１１は、プラテンローラ２２に向けて揺動自在に配置されており、印字動作時には、プラテンローラ２２に所定圧で押し当てられる。
【００５６】
印字ヘッド１１に対向する位置には、プラテンローラ２２が配置されている。プラテンローラ２２は、印字ヘッド１１との間で媒体Ｐを挟持した状態で媒体Ｐを矢印Ｆ１又は矢印Ｆ２の方向に搬送する。
【００５７】
本実施形態に係るプリンタ１は、上側ローラユニット３１と、下側ローラユニット３２とを備える。なお、図８においては、上側ローラユニット３１の要部と、下側ローラユニット３２の要部が示されている。本実施形態における上側ローラユニット３１の詳細は後述する。
【００５８】
本実施形態に係るプリンタ１は、矢印Ｆ２方向における印字ヘッド１１の下流側に配置された第１搬送部３３を備える。第１搬送部３３は、印字ヘッド１１側に位置する第１上側ローラ３３ａと、プラテンローラ２２側に位置する第１下側ローラ３３ｂとを有する。
【００５９】
また、本実施形態に係るプリンタ１は、矢印Ｆ２方向における印字ヘッド１１の上流側に配置された第２搬送部３４を備える。第２搬送部３４は、第２上側ローラ３４ａと第２下側ローラ３４ｂとを有する。
【００６０】
また、本実施形態に係るプリンタ１は、矢印Ｆ２方向における第２搬送部３４の上流側に配置された第３搬送部３５を備える。第３搬送部３５は、第３上側ローラ３５ａと第３下側ローラ３５ｂとを有する。
【００６１】
第３搬送部３５は、媒体Ｐが後述の後端部１０Ｒから取り込まれた場合には、媒体Ｐを挟持し、印字ヘッド１１に向けて搬送する。
【００６２】
本実施形態において、第１下側ローラ３３ｂ，第２下側ローラ３４ｂ及び第３下側ローラ３５ｂは、図８には図示しないモータに連結されており、モータの回転が第１下側ローラ３３ｂ，第２下側ローラ３４ｂ及び第３下側ローラ３５ｂに伝達される。
【００６３】
ここで、第１下側ローラ３３ｂ，第２下側ローラ３４ｂ及び第３下側ローラ３５ｂの回転方向は、プラテンローラ２２の回転方向と連動するように構成されている。
【００６４】
ＩＣ書込部１２は、矢印Ｆ２方向において印字ヘッド１１よりも上流側に配置されている。ＩＣ書込部１２は、取り込まれたＩＣタグ媒体Ｐ１に所定情報が書き込めるように、アンテナ感度、電波出力、設置場所等が設定されている。
【００６５】
ＩＣ書込部１２は、通信規格に応じて、ＵＨＦ帯（３００ＭＨｚ〜３ＧＨｚ、特に８６０ＭＨｚ〜９６０ＭＨｚ）、マイクロ波（１〜３００ＧＨｚ、特に２．４ＧＨｚ近傍）、及びＨＦ帯（３ＭＨｚ〜３０ＭＨｚ、特に１３．５６ＭＨｚ近傍）等の特定の周波数帯の電波に対応した信号を発信可能である。
【００６６】
ＩＣタグ媒体Ｐ１には、これらのＲＦＩＤの規格に応じたアンテナが設けられている。
【００６７】
本実施形態に係るプリンタ１は、ＩＣタグ媒体Ｐ１に印字するＩＣタグモードと、印字媒体Ｐ２に印字する印字モードとを有する。プリンタ１において、印字モードとＩＣタグモードは、切り換え可能とされている。
【００６８】
プリンタ１は、さらに、媒体Ｐに転写する印字用インクが塗布されたインクリボンＲｂを供給するリボン収容部４１を備える。
【００６９】
図１等を用いて説明したように、リボン収容部４１は、ロール状に巻き回されたインクリボンＲｂを供給する供給軸４２と、印字に用いられた後のインクリボンＲｂを巻き取る巻取軸４３とを備える。
【００７０】
供給軸４２及び巻取軸４３は、図示しない駆動部に駆動伝達機構６１（図８に図示せず）を介して連結されており、媒体Ｐを矢印Ｆ１又は矢印Ｆ２の方向に搬送することに合わせてインクリボンＲｂを搬送するように回転する。
【００７１】
図８において、媒体Ｐが矢印Ｆ２方向に搬送される際におけるインクリボンＲｂの動きは、黒塗り矢印で示される。
【００７２】
また、リボン収容部４１は、供給軸４２から送り出されたインクリボンＲｂ又は印字ヘッド１１を通過して巻取軸４３に向かうインクリボンＲｂに所定の張力を付与するテンションローラ４４，４５を備える。
【００７３】
供給軸４２に装着されたロールから引き出されたインクリボンＲｂは、印字ヘッド１１とプラテンローラ２２との間に供給される。インクリボンＲｂは、媒体Ｐとともにプラテンローラ２２と印字ヘッド１１との間に挟持された状態で、矢印Ｆ２の方向に搬送される。
【００７４】
本実施形態に係るプリンタ１は、前端部１０Ｆからケーシング１０の内部に媒体Ｐが挿入されたことを検出するセンサ５１を備える。
【００７５】
また、本実施形態に係るプリンタ１は、後端部１０Ｒから媒体Ｐが挿入されたことを検出するセンサ５２を備える。
【００７６】
［印字動作の説明］
次に、本発明の実施形態に係るプリンタ１による、ＩＣタグ媒体Ｐ１及び印字媒体Ｐ２への印字動作について説明する。
【００７７】
プリンタ１は、ＩＣタグ媒体Ｐ１に印字するＩＣタグモードと、印字媒体Ｐ２に印字する印字モードとが切り換え可能とされている。
【００７８】
（ＩＣタグモード）
ＩＣタグモードが選択されている場合に、後端部１０ＲからＩＣタグ媒体Ｐ１が挿入されると、センサ５２によって挿入が検出される。挿入が検出されたことにより、取込フェーズが開始される。
【００７９】
挿入が検出されると、第３上側ローラ３５ａ及び第３下側ローラ３５ｂは、ＩＣタグ媒体Ｐ１を、ＩＣ書込部１２に備えられたアンテナとＩＣタグ媒体Ｐ１に設けられたアンテナとが合致する書込位置まで搬送する。
【００８０】
ＩＣタグ媒体Ｐ１が書込位置に到達すると、排出フェーズ（書込処理及び印刷処理）が開始される。印字ヘッド１１による印字に先立って、ＩＣ書込部１２は、ＩＣタグ媒体Ｐ１に所定の情報を書き込む。
【００８１】
その後、ＩＣタグ媒体Ｐ１は、第２上側ローラ３４ａ及び第２下側ローラ３４ｂによって矢印Ｆ２方向に印字ヘッド１１まで搬送される。ＩＣタグ媒体Ｐ１は、印字ヘッド１１において、印字ヘッド１１とプラテンローラ２２に挟持された状態で矢印Ｆ２方向に送られながら印字される。
【００８２】
印字が完了すると、ＩＣタグ媒体Ｐ１は、第１上側ローラ３３ａ及び第１下側ローラ３３ｂによって矢印Ｆ２方向に、前端部１０Ｆまで搬送される。
【００８３】
上述した一連の動作において、第３上側ローラ３５ａ及び第３下側ローラ３５ｂによってＩＣタグ媒体Ｐ１を印字ヘッド１１の位置まで搬送するときの第３上側ローラ３５ａ及び第３下側ローラ３５ｂの回転量、プラテンローラ２２によってＩＣタグ媒体Ｐ１を第１上側ローラ３３ａ及び第１下側ローラ３３ｂの位置まで搬送するときのプラテンローラ２２の回転量、及びリボン収容部４１の巻取軸４３によるインクリボンＲの送出量は、ＩＣタグモードを実行するための作業情報として、図示しない所定のメモリに予め格納されている。
【００８４】
以上説明したように、プリンタ１は、ＩＣタグ媒体Ｐ１を取り込んで、ＩＣタグ媒体Ｐ１に対して、ＩＣチップへの所定情報の書き込みとＩＣタグ媒体Ｐ１表面への印字とを行うことができる。
【００８５】
（印字モード）
印字モードが選択されている場合に、後端部１０Ｒから印字媒体Ｐ２が挿入されると、センサ５２によって挿入が検出される。挿入が検出されたことにより、取込フェーズが開始される。
【００８６】
第３上側ローラ３５ａ及び第３下側ローラ３５ｂは、矢印Ｆ２方向に印字媒体Ｐ２を印字ヘッド１１まで搬送する。
【００８７】
印字媒体Ｐ２が印字ヘッド１１に達すると、印字ヘッド１１がプラテンローラ２２に押し当てられて、印刷処理が開始される。印字媒体Ｐ２は、インクリボンＲとともに印字ヘッド１１とプラテンローラ２２に挟持された状態で、プラテンローラ２２の回転によって第１上側ローラ３３ａ及び第１下側ローラ３３ｂまで搬送される。
【００８８】
印字が完了すると、印字媒体Ｐ２は、第１上側ローラ３３ａ及び第１下側ローラ３３ｂによって矢印Ｆ２の方向に、開口部１０Fまで搬送される。
【００８９】
上述した印字モードの取込フェーズにおける、第３上側ローラ３５ａ及び第３下側ローラ３５ｂによって印字媒体Ｐ２を印字ヘッド１１の位置まで搬送するときの第３上側ローラ３５ａ及び第３下側ローラ３５ｂの回転量、プラテンローラ２２によって印字媒体Ｐ２を第１上側ローラ３３ａ及び第１下側ローラ３３ｂの位置まで搬送するときのプラテンローラ２２の回転量、及びリボン収容部４１の巻取軸４３によるインクリボンＲの送出量は、印字モードを実行するための作業情報として、図示しないメモリに予め格納されている。
【００９０】
以上説明したように、プリンタ１は、印字媒体Ｐ２を取り込んで、印字媒体Ｐ２表面に所定情報の印字を行って排出することができる。
【００９１】
［その他の実施形態］
上述した本発明の実施形態は、本発明の趣旨を逸脱しない範囲において、種々の変更が可能である。
【００９２】
本実施形態に係るプリンタ１では、前端部１０Ｆから媒体Ｐを取り込んで印字し、印字後の媒体Ｐの搬送方向を反転させて、前端部１０Ｆから再び排出する印字動作も可能である。この場合には、以下の印字動作が実行される。
【００９３】
媒体Ｐが前端部１０Ｆから挿入されたことがセンサ５１において検出されると、印字ヘッド１１のプラテンローラ２２への押圧が解除される。すなわち、印字ヘッド１１とプラテンローラ２２との挟持状態が解除される。これにより、前端部１０Ｆから媒体Ｐを印字ヘッド１１とプラテンローラ２２との間に挿入可能となる。
【００９４】
続いて、第１上側ローラ３３ａ及び第１下側ローラ３３ｂは、矢印Ｆ１方向にＩＣタグ媒体Ｐ１を印字ヘッド１１まで搬送する。
【００９５】
ＩＣタグ媒体Ｐ１が印字ヘッド１１に達すると、印字ヘッド１１がプラテンローラ２２に押し当てられる。ＩＣタグ媒体Ｐ１は、インクリボンＲとともに印字ヘッド１１とプラテンローラ２２に挟持された状態で、プラテンローラ２２の回転によって第２上側ローラ３４ａ及び第２下側ローラ３４ｂまで搬送される。
【００９６】
ＩＣタグ媒体Ｐ１がプラテンローラ２２の回転によって第２上側ローラ３４ａ及び第２下側ローラ３４ｂまで搬送されて、ＩＣタグ媒体Ｐ１が第２上側ローラ３４ａ及び第２下側ローラ３４ｂに受け渡されると、印字ヘッド１１とプラテンローラ２２との挟持状態が解除される。
【００９７】
このとき、インクリボンＲは、印字ヘッド１１がプラテンローラ２２に押し当てられてから、ＩＣタグ媒体Ｐ１が第２上側ローラ３４ａ及び第２下側ローラ３４ｂに到達するまでの搬送距離に相当する分の使用済み領域が矢印Ｆ１方向（すなわち、黒矢印とは反対方向）に巻き戻される。
【００９８】
そこで、前端部１０Ｆから媒体Ｐを取り込む印字動作を行う場合には、プリンタ１では、印字ヘッド１１とプラテンローラ２２との挟持状態が解除された後、矢印Ｆ１方向に巻き戻されたインクリボンＲの使用済み領域を、未使用領域が印字開始位置になるまで送り出す制御が行われてもよい。
【００９９】
また、この場合には、第２上側ローラ３４ａ及び第２下側ローラ３４ｂは、ＩＣタグ媒体Ｐ１を、ＩＣ書込部１２に備えられたアンテナとＩＣタグ媒体Ｐ１に設けられたアンテナとが合致する書込位置まで搬送するように制御される。
【０１００】
本実施形態に係るプリンタ１において、ＩＣタグ媒体Ｐ１に所定の情報を書き込むＩＣ書込部１２は、必ずしも備えなくともよい。
【０１０１】
本実施形態に係るプリンタ１は、第１搬送部３３、第２搬送部３４及び第３搬送部３５の３つの搬送部を備える。しかし、搬送部の数は、プリンタ１において使用可能な各種媒体Ｐの長手方向の長さに応じて可変である。第２搬送部３４及び第３搬送部３５は、いずれか一つであってもよい。
【０１０２】
本実施形態に係るプリンタ１において、前端部１０Ｆから印字ヘッド１１までの長さが媒体Ｐの長手方向の長さよりも短い場合には、第１搬送部３３は不要である。さらに、前端部１０Ｆから媒体Ｐの取込を行わない構成にした場合も、第１搬送部３３は不要である。
【０１０３】
また、本実施形態に係るプリンタ１において、ユニット支持部１０２Ｓは、コイルばね等の付勢部材により、開放する方向に付勢されていてもよい。付勢力により、ユーザによる印字ユニット１０２の開放動作にかかる負担が軽減される。
【０１０４】
以上、本発明の実施形態について説明したが、上記実施形態は、本発明の適用例の一部を示したに過ぎず、本発明の技術的範囲を上記実施形態の具体的構成に限定する趣旨ではない。
【符号の説明】
【０１０５】
１    プリンタ
１０Ｆ    前端部
１０Ｒ    後端部
１１    印字ヘッド
１１ａ    固定端部
１１ｂ    開放端部
１２    ＩＣ書込部
２２    プラテンローラ
３１    上側ローラユニット
３２    下側ローラユニット
３３    第１搬送部
３３ａ    第１上側ローラ
３３ｂ    第１下側ローラ
３４    第２搬送部
３４ａ    第２上側ローラ
３４ｂ    第２下側ローラ
３５    第３搬送部
３５ａ    第３上側ローラ
３５ｂ    第３下側ローラ
４１    リボン収容部
４２    供給軸
４２ａ    開放端部
４２ｂ    固定端部
４３    巻取軸
４３ａ    固定端部
４３ｂ    開放端部
４４，４５    テンションローラ
５１，５２    センサ
６１    駆動伝達機構
７１    カバー
１０１    本体部
１０１Ｄ    回動軸
１０２    印字ユニット
１０２Ｓ    ユニット支持部
１０２ｄ    前端部
１０２ｕ    後端部
１０３    支持部
【図１】
2018153993.tif 000003
【図２】
2018153993.tif 000004
【図３】
2018153993.tif 000005
【図４】
2018153993.tif 000006
【図５】
2018153993.tif 000007
【図６】
2018153993.tif 000008
【図７】
2018153993.tif 000009
【図８】
2018153993.tif 000010